(57)【要約】  本発明は、基板部と、前記基板部に設けられ、前記基板部上から突出して皮膚に挿入されるニードル部と、前記ニードル部と前記基板部との連結部位に形成された切取部と、を含み、前記基板部または前記ニードル部は生体吸収性金属で形成されていることを特徴とする。
2019510618.tif 000002
【特許請求の範囲】
【請求項１】
基板部と、
前記基板部に設けられ、前記基板部上から突出して皮膚に挿入されるニードル部と、
前記ニードル部と前記基板部との連結部位に形成された切取部と、
を含み、
前記基板部または前記ニードル部は生体吸収性金属で形成されていることを特徴とする、生体吸収性金属を用いたマイクロニードル。
【請求項２】
前記ニードル部は、
前記基板部が皮膚上から分離されると、前記基板部から離脱して皮膚に残留することを特徴とする、請求項１に記載の生体吸収性金属を用いたマイクロニードル。
【請求項３】
前記ニードル部は、
前記基板部に形成されたニードル孔と、
前記ニードル孔に収容されたまま前記基板部と一端が連結された第１ニードルと、
前記第１ニードルの他端と一端が連結されたまま前記ニードル孔に収容された第２ニードルと、
を含むことを特徴とする、請求項２に記載の生体吸収性金属を用いたマイクロニードル。
【請求項４】
前記第２ニードルは、一端から他端へ行くほど次第に幅が狭くなる形状に形成され、その一端は前記第１ニードルの幅よりも大きい幅に形成されることにより係止部をなすことを特徴とする、請求項３に記載の生体吸収性金属を用いたマイクロニードル。
【請求項５】
前記係止部は、皮膚に接触した前記基板部が前記皮膚上から分離されるとき、皮膚組織に係止され、前記第１ニードルと前記第２ニードルが皮下組織に結着されるようにすることを特徴とする、請求項４に記載の生体吸収性金属を用いたマイクロニードル。
【請求項６】
前記切取部は、
前記第１ニードルの一端から前記第１ニードルの幅方向に沿って互いに一定の間隔を置いて配置された多数のスリット孔を含むことを特徴とする、請求項３に記載の生体吸収性金属を用いたマイクロニードル。
【請求項７】
前記切取部は、ノッチをさらに含み、
前記ノッチは、前記第１ニードルの一端における、前記第１ニードルの幅方向の両側にそれぞれ配置され、前記ニードル孔と連通可能に形成されていることを特徴とする、請求項６に記載の生体吸収性金属を用いたマイクロニードル。
【請求項８】
前記第１ニードルまたは前記第２ニードルの周面には、担持溝が前記第１ニードルまたは前記第２ニードルの周方向に沿って多数設けられていることを特徴とする、請求項３に記載の生体吸収性金属を用いたマイクロニードル。
【請求項９】
前記担持溝が前記第１ニードルまたは前記第２ニードルの上面または底面にさらに設けられていることを特徴とする、請求項８に記載の生体吸収性金属を用いたマイクロニードル。
【請求項１０】
前記生体吸収性金属が、マグネシウム、カルシウム、亜鉛、および鉄のうちの少なくとも一つの成分を含む金属であることを特徴とする、請求項１から９のいずれか一項に記載の生体吸収性金属を用いたマイクロニードル。
【発明の詳細な説明】
【技術分野】
【０００１】
本発明は、生体吸収性金属を用いたマイクロニードルに関し、より詳細には、体内に薬物だけでなく、人体に有用な機能性物質も一緒に供給することができるように構成された、生体吸収性金属を用いたマイクロニードルに関する。
【背景技術】
【０００２】
薬物送達システム（ＤＤＳ：drug delivery system）は、薬理学的活性を有する物質を様々な物理化学的技術を用いて細胞、組織、臓器および器官などへ送り届ける一連の技術を意味する。
【０００３】
薬物送達システムとしては、口から薬物を摂取する経口投与方式が最も一般的に使用されており、これ以外にも、人体の一部分に薬物を送り込む経皮透過型方式などがある。その中でも、金属材質の注射針で患者の皮膚に孔を開けて液状の薬物を送達する方式、すなわち、注射器を用いた薬物送達方式が古くから広く用いられている。
【０００４】
しかし、注射器を用いた薬物送達方式は、薬物注入の際に患者に疼痛を与え、かつ、繰り返し接種の手間と注射器の管理不十分による注射針の再利用により患者に感染を誘発させるおそれがあるという欠点がある。
【０００５】
また、上記の方式は、注射器使用の知識を保有している接種者が必要とされるため、患者が自ら注射器を用いて薬物を投与することができないという欠点もある。
【０００６】
よって、近年では、注射器を用いた薬物送達方法を改善するために、ペン型注射器よりも遥かに小さいマイクロサイズの経皮透過型マイクロニードルが製作され活用されている。
【０００７】
マイクロニードルは、角質層に物理的に小さな孔を開けて薬物を送達するシステムであって、１９９８年に米国ジョージア工科大学のプラウスニッツグループで半導体プロセス技術を利用してシリコン素子でマイクロニードルアレイを作り、薬物送達の応用可能性を提示したことを始めとして多くの研究が盛んに行われており、シリコンだけでなく、金属、ポリマー、ガラス及びセラミックなどのさまざまな材質をベースに、さまざまなサイズと形状に作られている。
【０００８】
また、マイクロニードルは、生体内薬物やワクチンなどの活性物質の伝達、体内分析物質の検出および生検（biopsy）に使用される以外に、スキンケア物質や薬物の皮膚組織内への注入または皮膚内からの血液などの体液の抽出を目的として使用されることもある。よって、マイクロニードルは、局部的かつ持続的な薬物注入が可能であり、皮膚への挿入時に疼痛を最小化することができるので、最近様々な分野での使用が非常に急増している薬物送達方式の一つであるといえる。
【０００９】
ところが、従来のマイクロニードルは、マイクロニードルに含まれている薬物が体内に広がるため、ユーザーの皮膚に長時間接触しなければならない構造を持つので、ユーザーの皮膚にニードルの材質による炎症が発生するという欠点がある。
【００１０】
また、マイクロニードルは、皮膚への挿入の際にニードルが曲がったり折れたりすることなく皮膚に挿入されるように十分に高い物理的強度を維持しなければならないので、それに適した強度および形状制御が可能であるという特性が求められる。
【００１１】
しかし、従来のマイクロニードルは、一般に分解性ポリマーと金属性材質で製作されるが、分解性ポリマーで製作されたマイクロニードルは、分解性ポリマー特有の低強度および成形の困難さにより体内に薬物を送達する効果が高くなかった。また、金属性素材で製作されたマイクロニードルは、ニードルの生成に限界があるとともに、皮下に挿入されたニードルが分節される場合にはユーザーに炎症反応を誘発し、金属性素材に対するアレルギー反応があるユーザーには使用できないという欠点があった。
【００１２】
したがって、本出願人は、かかる問題点を解決するために本発明を提案した。これに関連する先行技術文献としては、特許文献１の「マイクロニードルの製造方法」などがある。
【先行技術文献】
【特許文献】
【００１３】
【特許文献１】韓国登録特許第１０−１６３４９１１号
【発明の概要】
【発明が解決しようとする課題】
【００１４】
本発明は、かかる問題点を解決するためのもので、その目的は、マイクロニードルがユーザーの皮膚に長時間接触するか或いは体内に残留しても、ユーザーに対する疼痛の誘発や感染の懸念を防ぐことができるように構成されたマイクロニードルを提供することにある。
【００１５】
本発明の他の目的は、マイクロニードルに担持された薬物をユーザーの体内に伝達する過程で、人体に有用なミネラル成分なども一緒に体内に伝達することができるマイクロニードルを提供することにある。
【課題を解決するための手段】
【００１６】
本発明は、基板部と、前記基板部に設けられ、前記基板部上から突出して皮膚に挿入されるニードル部と、前記ニードル部と前記基板部との連結部位に形成された切取部と、を含み、前記基板部または前記ニードル部は生体吸収性金属で形成できる。
【００１７】
また、前記ニードル部は、前記基板部が皮膚上から分離されると、前記基板部から離脱して皮膚に残留できる。
【００１８】
また、前記ニードル部は、前記基板部に形成されたニードル孔と、前記ニードル孔に収容されたまま前記基板部と一端が連結された第１ニードルと、前記第１ニードルの他端と一端が連結されたまま前記ニードル孔に収容された第２ニードルと、を含むことができる。
【００１９】
また、前記第２ニードルは、一端から他端へ行くほど次第に幅が狭くなる形状に形成され、その一端は前記第１ニードルの幅よりも大きい幅に形成されることにより係止部をなすことができる。
【００２０】
また、前記係止部は、皮膚に接触した前記基板部が前記皮膚上から分離されるとき、皮膚組織に係止され、前記第１ニードルと前記第２ニードルが皮下組織に結着できる。
【００２１】
また、前記切取部は、前記第１ニードルの一端から前記第１ニードルの幅方向に沿って互いに一定の間隔を置いて配置された多数のスリット孔を含むことができる。
【００２２】
また、前記切取部は、ノッチをさらに含み、前記ノッチは、前記第１ニードルの一端における、前記第１ニードルの幅方向の両側にそれぞれ配置され、前記ニードル孔と連通可能に形成できる。
【００２３】
また、前記第１ニードルまたは前記第２ニードルの周面には、担持溝が前記第１ニードルまたは前記第２ニードルの周方向に沿って多数設けられ得る。
【００２４】
また、前記担持溝は、前記第１ニードルまたは前記第２ニードルの上面または底面にさらに設けられ得る。
【００２５】
また、前記生体吸収性金属は、マグネシウム、カルシウム、亜鉛、および鉄のうちの少なくとも一つの成分を含む金属であり得る。
【発明の効果】
【００２６】
本発明の一実施形態に係る生体吸収性金属を用いたマイクロニードルは、体内に治療のための薬物の他にも、生体吸収性金属に含まれている成分（マグネシウム、カルシウム、亜鉛、鉄など）を伝達して、ユーザーに薬物と一緒にミネラルを供給することができる。
【００２７】
また、本発明の一実施形態に係る生体吸収性金属を用いたマイクロニードルは、皮膚に接触した基板部を皮膚上から分離させる簡単な過程で皮下にニードル部を残留できるので、人体に有用な生体吸収性金属がユーザーの体内に容易に残留するようにすることができ、これにより、ユーザーは別途の施術を受けることなく人体に有用な生体吸収性金属を体内に収容することができる。
【００２８】
また、本発明の一実施形態に係る生体吸収性金属を用いたマイクロニードルは、生体吸収性金属で形成されたニードル部が皮下で分解される過程で生成される副産物が皮下内で膨潤現象を提供してユーザーの皮膚のシワを改善することができる。例えば、マグネシウムで構成された生体吸収性金属は、副産物としてマグネシウムイオンと水酸化マグネシウム、水素ガスなどを発生させて皮膚の局所領域にマグネシウムを集中的に注入することができ、発生した水素ガスの膨潤によって皮膚のシワを改善することができる。よって、マグネシウム１ｇあたり約１Ｌの水素ガスが発生するため、少ない量でも非常に効率の良い効果を期待することができる。
【００２９】
また、本発明の一実施形態に係る生体吸収性金属を用いたマイクロニードルは、生体吸収性金属で形成された基板部およびニードル部が、それ自体に担持された薬物を皮下に迅速に伝達することができるよう、薬物送達エンハンサーの役割も果たすため、ユーザーは、必要とされる薬物の迅速な伝達を介して治療を受けることができる。
【図面の簡単な説明】
【００３０】
【図１】本発明の一実施形態に係るマイクロニードルの斜視図である。
【図２】図１に示されたＡ部分を拡大して示す平面図である。
【図３】本発明の一実施形態に係る基板部上にニードル部が立てられた状態を示す斜視図である。
【図４】図３に示されたＡ部分を拡大して示す斜視図である。
【図５】本発明の一実施形態に係るニードル部に切開溝が形成された様子を示す平面図である。
【図６】皮膚に付着した基板部が皮膚上から分離されるときに皮膚に残留するニードル部の様子を示す図である。
【発明を実施するための形態】
【００３１】
本発明の利点、特徴、及びそれらを達成する方法は、添付図面と共に詳細に後述されている実施形態を参照すると明確になるだろう。
【００３２】
しかし、本発明は、以下で開示する実施形態に限定されるものではなく、互いに異なる多様な形態で実現される。但し、本実施形態は、単に本発明の開示を完全たるものにし、本発明の属する技術分野における通常の知識を有する者に発明の範疇を完全に知らせるために提供されるものである。本発明は、請求項の範疇によってのみ定められる。
【００３３】
以下、図１乃至図６を参照して、本発明の一実施形態に係る生体吸収性金属を用いたマイクロニードルを詳細に説明する。本発明を説明するにあたり、関連した公知の機能或いは構成についての具体的な説明は、発明の要旨を不明確にしないために省略される。
【００３４】
図１は本発明の一実施形態に係るマイクロニードルの斜視図、図２は図１に示されたＡ部分を拡大して示す平面図、図３は本発明の一実施形態に係る基板部上にニードル部が立てられた状態を示す斜視図、図４は図３に示されたＡ部分を拡大して示す斜視図、図５は本発明の一実施形態に係るニードル部に切開溝が形成された様子を示す平面図、図６は皮膚に付着した基板部が皮膚上から分離されるときに皮膚に残留するニードル部の様子を示す図である。
【００３５】
図１乃至図６に示すように、本発明の一実施形態に係る生体吸収性金属を用いたマイクロニードル１００は、皮膚に接触する基板部１１０と、前記基板部１１０に設けられ、前記基板部１１０上から突出して皮膚に挿入されるニードル部１２０と、前記ニードル部１２０と前記基板部１１０との連結部位に形成された切取部１３０と、を含むことができる。
【００３６】
前記基板部１１０は、所定の面積と厚さを持つ薄い板材の形状を有することができ、皮下に伝達しようとする薬物が担持できる。
【００３７】
前記基板部１１０に薬物を担持させる方式としては、前記基板部１１０を薬物の貯留した容器に浸漬させてコーティングさせる方式や、薬物を基板部１１０に塗布してコーティングする方式などの様々な公知の方式が使用できる。
【００３８】
ちなみに、前記基板部１１０に担持される薬物は、病気の予防および治療のための薬物または遺伝子物質を含むことができ、スキンケアのためのＥＧＦ（Epidermal Growth Factor：上皮細胞増殖因子）またはヒアルロン酸（Hyaluronic acid）であり得る。
【００３９】
一方、前記基板部１１０は生体吸収性金属で形成できる。すなわち、前記基板部１１０は、生体吸収性金属として活用されるマグネシウム、カルシウム、亜鉛、および鉄のうちの少なくとも一つの成分を含む金属で製作できる。
【００４０】
また、上述したような構成を持つ基板部１１０は、接着性物質の塗布された接着性シート（図示せず）に置かれたまま、ユーザーの皮膚にパッチ（patch）の形で付着することができる。
【００４１】
前記ニードル部１２０は、前記基板部１１０を、レーザーを用いたカット装置で加工することにより形成できる構成要素であり、前記基板部１１０の表面上に互いに一定の間隔を置いて多数設けられてもよい。よって、前記ニードル部１２０も生体吸収性金属で形成されるといえる。
【００４２】
図３及び図４に示すように、前記ニードル部１２０は、公知の成形工程を介して、前記基板部１１０の表面上から垂直方向に折り曲げられて突出することができる。すなわち、前記ニードル部１２０は、前記基板部１１０がユーザーの皮膚と接触すれば、ユーザーの皮下に挿入されて薬物を伝達する部位である。
【００４３】
前記ニードル部１２０は、図２に示すように、前記基板部１１０に形成されるニードル孔１２１と、前記ニードル孔１２１に収容されたまま前記基板部１１０と一端が連結される第１ニードル１２２と、前記第１ニードル１２２の他端と一端が連結されたまま前記ニードル孔１２１に収容される第２ニードル１２３と、を含むことができる。
【００４４】
前記ニードル孔１２１は、レーザーカッターを用いたカット加工または板金加工によって基板部１１０上に形成できる。この過程で、前記第１ニードル１２２と前記第２ニードル１２３が形成できる。
【００４５】
すなわち、前記ニードル孔１２１の形状およびサイズは、前記第１ニードル１２２と前記第２ニードル１２３の形状およびサイズを決定する要素である。その形状およびサイズは、第１ニードル１２２と第２ニードル１２３の形状およびサイズに対応して可変する。
【００４６】
前記第１ニードル１２２と前記第２ニードル１２３は、全体的に矢尻の形状を有することができ、前記第１ニードル１２２は、一定の幅を持ったまま、前記ニードル孔１２１を区画する前記基板部１１０の一面部位にその長さ方向の一端が連結できる。
【００４７】
前記第２ニードル１２３は、長さ方向の一端から他端へ行くほど次第に幅が狭くなる矢尻の形状に形成され、その長さ方向の一端は、前述したように前記第１ニードル１２２の長さ方向の他端に連結できる。
【００４８】
また、前記第２ニードル１２３の長さ方向の一端は、前記第１ニードル１２２の長さ方向の他端の幅よりも大きい幅に形成されることにより、その幅方向の両側に係止部１２３ａをなすことができる。
【００４９】
前記切取部１３０は、皮膚に接触した基板部１１０が皮膚上から分離されるときに、皮下に挿入された第１ニードル１２２と第２ニードル１２３が皮下に残留するようにするため、前記第１ニードル１２２の長さ方向の一端部位が前記基板部１１０上で容易に切れるようにすることができる。すなわち、前記切取部１３０は、図６に示すように、皮膚上から基板部１１０が分離されると、皮下層に前記ニードル部１２０が残留するようにすることができる。
【００５０】
前記切取部１３０は、図２に示すように、第１ニードル１２２の長さ方向の一端から前記第１ニードル１２２の幅方向に沿って互いに一定の間隔を置いて配置される多数のスリット孔１３１の形状に形成できる。
【００５１】
前記スリット孔１３１は、前記基板部１１０の厚さ方向に沿って穿設され、前記第１ニードル１２２の長さ方向の一端が前記基板部１１０から容易に切れるようにその連結部位の面積を減らす役割を果たす。
【００５２】
以下、上述したように構成された切取部１３０によって前記第１ニードル１２２と前記第２ニードル１２３が皮下に残留する過程をより具体的に説明する。
【００５３】
皮下に挿入された前記第１ニードル１２２と前記第２ニードル１２３は、皮下組織の収縮力によって皮下組織に結着できる。このとき、ユーザーによって皮膚上から分離される前記基板部１１０が皮下組織の収縮力よりも大きな力で第１ニードル１２２と第２ニードル１２３を引っ張ると、第１ニードル１２２と第２ニードル１２３も基板部１１０と一緒に皮膚上から分離されるしかない。
【００５４】
しかし、本発明の一実施形態では、前記切取部１３０のスリット孔１３１を基板部１１０と第１ニードル１２２との連結部位に多数形成することにより、第１ニードル１２２と第２ニードル１２３を引っ張る基板部１１０の力を、皮下組織が提供する収縮力よりも小さくなるように減衰させ、前記第１ニードル１２２と前記第２ニードル１２３が皮下に残留するようにした。
【００５５】
また、前記第２ニードル１２３に形成された係止部１２３ａが皮下組織に係止できるので、前記第１ニードル１２２と前記第２ニードル１２３が皮下組織にさらに結着できる。よって、皮膚に接触していた基板部１１０が皮膚上から分離されるとき、前記第１ニードル１２２と前記基板部１１０との連結部位が容易に切れる。
【００５６】
ここで、皮膚に残留した前記第１ニードル１２２と前記第２ニードル１２３は、前記基板部１１０に担持された薬物を皮下に伝達するだけでなく、生体吸収性金属に含まれているミネラル成分も皮下に伝達することができる。すなわち、生体吸収性金属として活用されるマグネシウム、カルシウム、亜鉛、鉄成分が皮下に伝達されることにより、体内にミネラル成分も供給することができる。
【００５７】
ちなみに、生体吸収性金属は、整形外科用インプラントに応用するために、マグネシウムをベースにした合金が製作されて国内外で商用化された事例があり、整形外科用インプラントに適用された生体吸収性金属は、安全な骨折固定のために体内で分解速度を最大限に下げるか、或いは耐食性の向上に焦点が合わせられていた。
【００５８】
ところが、本発明の一実施形態に係るマイクロニードル１００を形成する生体吸収性金属は、整形外科用に適用された生体吸収性金属とは異なり、体内で分解速度を加速化して皮下で薬物の放出と共にミネラルの供給が可能なメカニズムが適用できる。
【００５９】
例えば、生体吸収性金属として活用されるマグネシウム、カルシウム、亜鉛は、下記の［化学式１］乃至［化学式３］でそれぞれ表されるように、水と反応して水素ガスを放出しながら分解されるメカニズムを保有している。
【００６０】
【化１】
2019510618.tif 000003
【００６１】
【化２】
2019510618.tif 000004
【００６２】
【化３】
2019510618.tif 000005
【００６３】
上述したような生体吸収性金属で形成された基板部１１０とニードル部１２０は、皮下でイオンおよび分解産物を放出し、その副産物により生成される水素ガスが皮下内で膨潤効果を提供してシワ改善効果を誘導することができる。
【００６４】
また、生体吸収性金属の構成成分であるマグネシウムと亜鉛が生体内に挿入されて生成される副産物であるＺｎＯとＭｇＣｌは、皮膚の表面に留まりながら、基板部１１０と前記ニードル部１２０に担持された薬物が皮下に吸収されることを向上させる薬物送達エンハンサー（enhancer）の役割も果たすことができる。したがって、生体吸収性金属で形成された前記基板部１１０と前記ニードル部１２０は、それ自体に担持している薬物をユーザーに効果的に伝達することができる。
【００６５】
一方、前記切取部１３０は、図５に示すように、ノッチ１３２をさらに含むことができる。前記ノッチ１３２は、前記第１ニードル１２２の長さ方向の一端における、前記第１ニードル１２２の幅方向の両側にそれぞれ配置され、前記ニードル孔１２１と連通可能に形成できる。
【００６６】
前記ノッチ１３２は、前記基板部１１０が皮膚上から分離される過程で、前記第１ニードル１２２の長さ方向の一端部が前記基板部１１０上でさらに容易に切れるようにすることができ、また、前記基板部１１０から前記第１ニードル１２２が分離されるときに、ユーザーに伴われる引っ張りが緩和されるようにする。
【００６７】
さらに具体的には、前記ノッチ１３２は、前記基板部１１０に連結された前記第１ニードル１２２の長さ方向の一端部における、その幅方向の両側のうちのいずれか一部位が前記基板部１１０上で優先的に切開されるようにして、前記第１ニードル１２２が容易に切れるようにすることができる。
【００６８】
すなわち、前記ノッチ１３２は、前記多数のスリット孔１３１の周りに配置された前記基板部１１０と前記第１ニードル１２２との連結部位Ｐが前記第１ニードル１２２の幅方向に沿って順次切開されるようにして、前記基板部１１０上で前記第１ニードル１２２が迅速に切れるようにする。併せて、皮膚上からニードル部１１０が分離されたときに伴う引っ張りが前記ノッチ１３２によって減少することができる。
【００６９】
前記第１ニードル１２２または前記第２ニードル１２３の周面には担持溝１２４が設けられてもよい。
【００７０】
前記担持溝１２４は、前記第１ニードル１２２または前記第２ニードル１２３の周方向に沿って互いに一定の間隔を置いて鋸歯状に多数設けられてもよく、そのそれぞれの担持溝１２４は、前記第１ニードル１２２または前記第２ニードル１２３の厚さだけ穿孔して設けられてもよい。
【００７１】
前記担持溝１２４は、前記第１ニードル１２２または前記第２ニードル１２３に担持される薬物の量を調節することができるようにする。すなわち、担持溝１２４は、その形成個数に応じて第１ニードル１２２または第２ニードル１２３の側面積を増減することができ、これにより、第１ニードル１２２または第２ニードル１２３に担持される薬物の量が調節できる。
【００７２】
また、前記担持溝１２４は、前述したように、鋸歯状の溝であって、前記第１ニードル１２２または前記第２ニードル１２３の周面に形成されるので、皮下組織が前記担持溝１２４の形成空間に収容された状態で収縮できる。
【００７３】
したがって、前記第１ニードル１２２または前記第２ニードル１２３の周面に形成された前記担持溝１２４は、皮下に挿入された前記第１ニードル１２２と前記第２ニードル１２３が皮下組織にさらに結着されるようにして、前記基板部１１０が皮膚上から分離されるとき、前記第１ニードル１２２が前記基板部１１０に導かれて皮膚上から分離されることを防止することができるようにする。
【００７４】
ちなみに、前記担持溝１２４は、前記第１ニードル１２２または前記第２ニードル１２３の周面に限定されて形成されず、前記第１ニードル１２２または前記第２ニードル１２３の上面または底面に互いに一定の間隔を置いて多数設けられてもよく、これにより、前記第１ニードル１２２または前記第２ニードル１２３の上面または底面に担持される薬物の量も調節することができるのは勿論である。
【００７５】
上述のように構成された本発明の一実施形態に係る生体吸収性金属を用いたマイクロニードル１００は、体内に治療のための薬物の他にも、生体吸収性金属に含まれている成分（マグネシウム、カルシウム、亜鉛、鉄など）を伝達して、ユーザーに薬物と一緒にミネラルを供給することができる。
【００７６】
また、本発明の一実施形態に係る生体吸収性金属を用いたマイクロニードル１００は、皮膚に接触した基板部１１０を皮膚上から分離させる簡単な過程によって、皮下にニードル部１２０が残留することができるので、人体に有用な金属がユーザーの体内に容易に残留するようにすることができ、これにより、ユーザーは別途の塗布や施術を受けることなく人体に有用な金属を体内に収容することができる。
【００７７】
また、本発明の一実施形態に係る生体吸収性金属を用いたマイクロニードル１００は、生体吸収性金属で形成されたニードル部１２０が皮下で分解される過程で生成される副産物（水素ガス）が皮下内で膨潤現象を提供することにより、ユーザーの皮膚のシワを改善することができる。
【００７８】
また、本発明の一実施形態に係る生体吸収性金属を用いたマイクロニードル１００は、生体吸収性金属で形成された基板部１１０及びニードル部１２０が、それ自体に担持された薬物を皮下に迅速に伝達することができるように薬物送達エンハンサー（enhancer）の役割も果たす。よって、ユーザーは、必要とされる薬物の迅速な伝達を介して治療を受けることができる。
【００７９】
以上、本発明に係る具体的な実施形態について説明したが、本発明の範囲から逸脱することなく様々な変形が可能であるのはもちろんである。
【００８０】
よって、本発明の範囲は、説明された実施形態に限定されて定められてはならず、後述する特許請求の範囲だけでなく、この特許請求の範囲と均等なものによって定められるべきである。
【産業上の利用可能性】
【００８１】
本発明の生体吸収性金属を用いたマイクロニードルは、医療分野、スキンケア分野などの多様な産業分野に販売されて使用可能である。
【符号の説明】
【００８２】
１００  マイクロニードル
１１０  基板部
１２０  ニードル部
１３０  切取部
Ｐ  連結部位
【図１】
2019510618.tif 000006
【図２】
2019510618.tif 000007
【図３】
2019510618.tif 000008
【図４】
2019510618.tif 000009
【図５】
2019510618.tif 000010
【図６】
2019510618.tif 000011
【国際調査報告】
2019510618.tif 000012
2019510618.tif 000013
2019510618.tif 000014
2019510618.tif 000015